(57)【要約】      （修正有）【課題】仮設フェンスが転倒することを防止し、安全性が高い転倒防止敷板とする。【解決手段】仮設フェンス２０の設置方向に沿ってＨ型鋼から成る土台２４が、両側の側壁部２４ａ、２４ｂを起立させて仮設フェンス２０の作業領域側Ａに延設され、フェンス支柱２１の下部が土台２４の作業領域の外側Ｂの側壁部２４ｂにクランプ２５により固定されると共に、控支柱３３が土台２４の作業領域側Ａの側壁部２４ａにクランプ３５により固定された仮設フェンス２０の土台２４の長手方向に直交して土台２４の長手方向に間隔をおいて土台２４下に敷設される。【選択図】図２
0003107929.tif 000002
【実用新案登録請求の範囲】
【請求項１】
仮設フェンスの設置方向に沿ってＨ型鋼から成る土台が、両側の側壁部を起立させて仮設フェンスの作業領域側に延設され、フェンス支柱の下部が土台の作業領域の外側の側壁部に取り付け具により固定されると共に、控支柱が土台の作業領域側の側壁部に取り付け具により固定された仮設フェンスの前記土台の長手方向に直交して、土台の長手方向に間隔をおいて土台下に敷設される転倒防止敷板であって、この転倒防止敷板は前記土台の長手方向に直交して土台の両側壁部より外側に突出部を設けて敷設される敷板本体と、この敷板本体の前記突出部の表面に取り付けられ土台の作業領域側の側壁部と、作業領域の外側の側壁部の両側壁部を挾持する一対の略Ｌ字形の挾持体を備え、前記敷板本体の突出部に挾持体を敷板本体に固定する締結ボルトが螺入するネジ孔を有し、前記挾持体は一方の片が土台の側壁部の外側面に当接する起立片と、他方の片が敷板本体に固定される水平片に形成されると共に、起立片に締着用ボルトが螺入するネジ孔が設けられ、水平片に敷板本体のネジ孔と合致し、前記締結ボルトが入るボルト孔が設けられていることを特徴とするＨ型鋼土台仮設フェンスの転倒防止敷板。
【請求項２】
敷板本体の作業領域側の締結ボルトが螺入するネジ孔は、作業領域側の突出部の端部に向けて土台の幅に合わせて数箇所設けられ、作業領域側の挾持体は土台に対応して取り付け位置が選択可能となっていることを特徴とする請求項１記載のＨ型鋼土台仮設フェンスの転倒防止敷板。
【請求項３】
敷板本体の両端部に杭挿通用孔が設けられていることを特徴とする請求項１又は２記載のＨ型鋼土台仮設フェンスの転倒防止敷板。
【請求項４】
敷板本体の作業領域の外側の突出部にアンカーボルト挿通用孔が設けられていることを特徴とする請求項１から３のいずれかに記載のＨ型鋼土台仮設フェンスの転倒防止敷板。
【請求項５】
敷板本体の突出部の周縁部がアールに形成されていることを特徴とする請求項１から４のいずれかに記載のＨ型鋼土台仮設フェンスの転倒防止敷板。
【請求項６】
挾持体の水平片に締着用ボルトが螺入するネジ孔が設けられ、起立片に挾持体の内角部から水平片のボルト孔と等距離の対応位置に締結ボルトが入るボルト孔が穿設されていることを特徴とする請求項１から５のいずれかに記載のＨ型鋼土台仮設フェンスの転倒防止敷板。
【考案の詳細な説明】
【技術分野】
【０００１】
本考案は、工事現場等に現場内に部外者の立ち入りを禁止するために設置される仮設フェンスに係り、詳しくは、Ｈ型鋼土台を使用した仮設フェンスが強風等の外力により転倒するのを防止する転倒防止敷板に関するものである。
【背景技術】
【０００２】
従来、Ｈ型鋼を土台とした仮設フェンスが知られている。この仮設フェンスは図５及び図６に示すように、仮設フェンス２０は左右一対のフェンス支柱２１を備えた方形の枠体の内側に上部に金網２２が下部に板２３が取り付けられ、この仮設フェンス２０が左右方向に連結される。
そして、仮設フェンス２０の設置方向に沿ってＨ型鋼から成る土台２４が、両側の側壁部２４ａ、２４ｂを起立させて仮設フェンス２０の作業領域側Ａの地表に延設される。
【０００３】
仮設フェンス２０は、図５に示すように、両側のフェンス支柱２１の下部が取り付け愚であるコ字形のクランプ２５により土台２４の作業領域の外側Ｂの側壁部２４ｂに固定される。
コ字形のクランプ２５は側壁部２４ｂに嵌合され、かつ側壁部２４ｂの内側より締結ボルト２６で固定されると共に、側壁部２４ｂの外側に上下二段にリング２７が左右一対固着され、このリング２７に隣り合う仮設フェンス２０の互いに隣接するフェンス支柱２１の下端部が挿通し、仮設フェンス２０の枠体の下部横杆２８がストッパーとなり、リング２７に支持され、土台２４に沿って立設される。
【０００４】
隣り合う仮設フェンス２０同士の結合は、図６に示すように、隣接するフェンス支柱２１の前側の上方部に左右両端が後方へ屈曲し、隣接するフェンス支柱２１を抱える当て板２９が当接されると共に、この当て板２９と対応して隣接するフェンス支柱２１の後側に後方へ突設した左右の側板部３０ａを有する基板３０が当接され、この基板３０と当て板２９とで隣り合う仮設フェンス２０の互いに隣接するフェンス支柱２１を抱持し、当て板２９の中央部から隣接するフェンス支柱２１の間を通り基板３０にボルト３１が挿通し、ナット３２で固定することにより、隣り合う仮設フェンス２０は離反が阻止され結合されている。
【０００５】
そして、基板３０の両側板３０ａ間に控支柱３３の上端部が左右水平方向の支軸３４により、上下揺動自在に軸支連結されている。
控支柱３３の下端部は取り付け具であるクランプ３５により土台２４の作業領域側Ａの側壁部２４ａに固定されている。
このクランプ３５は、平面がコ字形で両側の側板部３５ａ間に控支柱３３の下端部が左右水平方向の支軸３６の周りに揺動自在に軸支連結されている。両側の側板部３５ａの下面に切り欠き３５ｂが形成され、この切り欠き３５ｂが土台２４の側壁部２４ａに嵌合し、クランプ３５の後板部３５ｃを前後方向に螺合貫通するボルト３７の先端に皿ばね３８を回転自在に装着し、切り欠き３５ｂの側部と皿ばね３８間で土台２４の側壁部２４ａを挾み付け、クランプ３５を土台２４の側壁部２４ａに固定している。
【０００６】
このような構成の仮設フェンス２０は、作業領域側Ａへは土台２４及び控支柱３３の存在により転倒し難いが、反対側の作業領域の外側Ｂへは転倒の危険性を有する問題点があった。しかし、これに対する対策は全くとられていなかったのである。
【考案の開示】
【考案が解決しようとする課題】
【０００７】
上記点より、本考案はＨ型鋼土台を使用した仮設フェンスが転倒することを防止し、安全性の高い仮設フェンスとしたＨ型鋼土台仮設フェンスの転倒防止敷板を提供しようとするものである。
【課題を解決するための手段】
【０００８】
上記課題を解決するため請求項１記載の本考案Ｈ型鋼土台仮設フェンスの転倒防止敷板は、仮設フェンスの設置方向に沿ってＨ型鋼から成る土台が、両側の側壁部を起立させて仮設フェンスの作業領域側に延設され、フェンス支柱の下部が土台の作業領域の外側の側壁部に取り付け具により固定されると共に、控支柱が土台の作業領域側の側壁部に取り付け具により固定された仮設フェンスの前記土台の長手方向に直交して、土台の長手方向に間隔をおいて土台下に敷設される転倒防止敷板であって、この転倒防止敷板は前記土台の長手方向に直交して土台の両側壁部より外側に突出部を設けて敷設される敷板本体と、この敷板本体の前記突出部の表面に取り付けられ土台の作業領域側の側壁部と、作業領域の外側の側壁部の両側壁部を挾持する一対の略Ｌ字形の挾持体を備え、前記敷板本体の突出部に挾持体を敷板本体に固定する締結ボルトが螺入するネジ孔を有し、前記挾持体は一方の片が土台の側壁部の外側面に当接する起立片と、他方の片が敷板本体に固定される水平片に形成されると共に、起立片に締着用ボルトが螺入するネジ孔が設けられ、水平片に敷板本体のネジ孔と合致し、前記締結ボルトが入るボルト孔が設けられていることを特徴とするものである。
【０００９】
このような構成とすることにより、転倒防止敷板を土台の長手方向に直交して土台下に敷設すれば、敷板本体の両側の突出部に挾持体の水平片が締結ボルトで固定され、両側の挾持体の起立片が土台の両側の側壁部を挾持し、この起立片から締着用ボルトが螺入し、締め付けることにより側壁部は起立片に固定され、土台と転倒防止敷板が一体化する。
これにより、仮設フェンスに作業領域の内側から外側への外力が加わっても、敷板本体の作業領域の外側の突出部が地表に圧接して耐えるので、仮設フェンスの作業領域の外側への転倒が防止される。
【００１０】
又、敷板本体の作業領域側にも突出部を有するので、仮設フェンスに作業領域の外側から作業領域側への外力が加わっても、この作業領域側の突出部が地表に圧接して耐えるので、仮設フェンスの作業領域側への転倒が防止される。
【００１１】
次に、請求項２記載の本考案Ｈ型鋼土台仮設フェンスの転倒防止敷板は、請求項１記載のＨ型鋼土台仮設フェンスの転倒防止敷板において、敷板本体の作業領域側の締結ボルトが螺入するネジ孔は、作業領域側の突出部の端部に向けて土台の幅に合わせて数箇所設けられ、作業領域側の挾持体は土台に対応して取り付け位置が選択可能となっていることを特徴とするものである。
【００１２】
このような構成とすることにより、Ｈ型鋼土台の幅に合ったネジ孔を選択して作業領域側の挾持体を固定できるので、使用するＨ型鋼の土台の幅に対応可能である。
又、作業領域側の挾持体のみが取り付け位置を選択可能となっているのは、土台を広幅のものを使用した場合に敷板本体の作業領域側の突出部の突出度が少なくなっても、仮設フェンスは作業領域側へは土台及び控支柱の存在により転倒の危険性はないが、敷板本体の作業領域の反対側の突出部は突出度が不変なので、仮設フェンスの作業領域の外側への転倒は確実に阻止できる。
【００１３】
次に、請求項３記載の本考案Ｈ型鋼土台仮設フェンスの転倒防止敷板は、請求項１又は２記載のＨ型鋼土台仮設フェンスの転倒防止敷板において、敷板本体の両端部に杭挿通用孔が設けられていることを特徴とするものである。
【００１４】
このような構成とすることにより、未舗装の工事現場等で使用する場合に、敷板本体の両端部を杭で固定すると転倒防止敷板は不動となり、安定した仮設フェンスの設置となる。
【００１５】
次に、請求項４記載の本考案Ｈ型鋼土台仮設フェンスり転倒防止敷板は、請求項１から３のいずれかに記載のＨ型鋼土台仮設フェンスの転倒防止敷板において、敷板本体の作業領域の外側の突出部にアンカーボルト挿通用孔が設けられていることを特徴とするものである。
【００１６】
このような構成とすることにより、未舗装の工事現場等で使用する場合に、敷板本体の作業領域の外側をアンカーボルトで固定すれば、仮設フェンスに作業領域側又は作業領域の外側の何れから外力が加わっても、仮設フェンスは安定し転倒の虞れがない。又、杭と共に使用すると一層安定度が増大する。
【００１７】
次に、請求項５記載の本考案Ｈ型鋼土台仮設フェンスの転倒防止敷板は、請求項１から４のいずれかに記載のＨ型鋼土台仮設フェンスの転倒防止敷板において、敷板本体の突出部の周縁部がアールに形成されていることを特徴とするものである。
【００１８】
このような構成とすることにより、自動車の車輪が敷板本体の突出部に乗り上げても、突出部の周縁部に角がないので、タイヤが角で損傷を受けるのを防止できる。
【００１９】
次に、請求項６記載の本考案Ｈ型鋼土台仮設フェンスの転倒防止敷板は、請求項１から５のいずれかに記載のＨ型鋼土台仮設フェンスの転倒防止敷板において、挾持体の水平片に締着用ボルトが螺入するネジ孔が設けられ、起立片に挾持体の内角部から水平片のボルト孔と等距離の対応位置に締結ボルトが入るボルト孔が穿設されていることを特徴とするものである。
【００２０】
このような構成とすることにより、起立片の締着用ボルトが螺入するネジ孔が損傷した時に、起立片と水平片を逆にして使用ができる。
【考案の効果】
【００２１】
本考案によれば、請求項１記載の本考案Ｈ型鋼土台仮設フェンスの転倒防止敷板によれば、敷板本体が土台の長手方向に直交して土台の両側壁部より外側に突出する突出部を有して敷設され、挾持体で土台の両側壁部を挾持し、挾持体の起立片から締着用ボルトで締め付け、転倒防止敷板と土台を一体化しているため、仮設フェンスに作業領域側又は作業領域の外側の何れから外力が加わっても、突出部が地表に圧接して耐えるので、仮設フェンスの転倒が防止され、特に従来からの作業領域の外側への仮設フェンスの転倒防止の虞れがなくなり、強風下においても安全性の高い仮設フェンスとなる効果を有する。
【００２２】
請求項２記載の本考案Ｈ型鋼土台仮設フェンスの転倒防止敷板によれば、Ｈ型鋼の幅に合ったネジ孔を選択して作業領域側の挾持体を固定できるので、使用するＨ型鋼土台の幅に対応可能で便利であると共に、作業領域の反対側の挾持体は不変で、Ｈ型鋼の幅により突出部の突出度が少なくなることはないので、従来からの問題点であった仮設フェンスの作業領域の外側への影響はなく、転倒は確実に阻止できる効果を有する。
【００２３】
請求項３記載の本考案Ｈ型鋼土台仮設フェンスの転倒防止敷板によれば、未舗装の工事現場等で使用する場合に、敷板本体の両端部を杭で地面に固定すると転倒防止敷板は不動となり、安定した仮設フェンスの設置となる効果を有する。
【００２４】
請求項４記載の本考案Ｈ型鋼土台仮設フェンスの転倒防止敷板によれば、未舗装の工事現場等で使用する場合に、敷板本体の作業領域の外側を地面にアンカーボルトで固定すれば、仮設フェンスに作業領域側又は作業領域の外側の何れから外力が加わっても、仮設フェンスは安定し転倒の虞れがないと共に、杭と共に使用すると一層安定度が増大し、安全性の高いものとなる効果を有する。
【００２５】
請求項５記載の本考案Ｈ型鋼土台仮設フェンスの転倒防止敷板によれば、自動車の車輪が敷板本体の突出部に乗り上げても突出部の周縁部に角がないので、タイヤが角で損傷を受けるのを防止できる効果を有する。
【００２６】
請求項６記載の本考案Ｈ型鋼土台仮設フェンスの転倒防止敷板によれば、起立片と水平片の区別はなくなり、両片を自由に使えるので、使用が便利で作業性が良くなると共に、一方の片の締着用ボルトが螺入するネジ孔が損傷しても使用不能とならず、他方の片のネジ孔を使用でき、長期間の使用が可能で経済的効果も有する。
【考案を実施するための最良の形態】
【００２７】
以下、本考案の一実施の形態を添付図面を参照して説明する。
図１は本考案Ｈ型鋼土台仮設フェンスの転倒防止敷板の分解斜視図、図２は同上の使用状態を示す断面図、図３は同上の使用状態を示す一部省略した斜視図である。
本考案Ｈ型鋼土台仮設フェンスの転倒防止敷板はＨ型鋼土台に固定される仮設フェンスに使用されるものであり、この仮設フェンスは公知のフェンスで、先に説明した図５及び図６に示す構成を有するもので、仮設フェンスについては再度説明は省略する。
【００２８】
図１乃至図３において、図中１は転倒防止敷板であり、この転倒防止敷板１は仮設フェンス２０のＨ型鋼から成る土台２４の長手方向に直交して、土台２４の長手方向に間隔をおいて土台２４下に敷設されるものである。
転倒防止敷板１は、敷板本体２と敷板本体２の表面に締結ボルト６ａ、６ｂで固定され、仮設フェンス２０の土台２４の両側壁部２４ａ、２４ｂを挾持する略Ｌ字形の一対の挾持体４ａ、４ｂを備えている。
【００２９】
敷板本体２は、土台２４の長手方向に直交して土台２４の両側壁部２４ａ、２４ｂより外側に延長して突出する突出部２ａ、２ｂを有する長方形に形成されている。この敷板本体２が土台２４下に敷設された状態で作業領域の外側Ｂとなる突出部２ｂに、敷設本体２の短尺方向に間隔をおいて両側に一対のネジ孔５ｂ、５ｂが設けられている。
【００３０】
この一対のネジ孔５ｂ、５ｂに対応して作業領域の外側Ｂの挾持体４ｂの水平片に締結ボルト６ｂが通入する一対のボルト孔７ｂ、７ｂが穿設され、このボルト孔７ｂから締結ボルト６ｂを通入してネジ孔５ｂに螺合し、挾持体４ｂを敷板本体２に固定する。ボルト孔７ｂ、７ｂはネジ孔としても良い。
挾持体４ｂの起立片は敷板本体２の中央部側に向けられ、土台２４の作業領域の外側Ｂの側壁部２４ｂの外側面に当接する。挾持体４ｂの起立片と水平片は同一サイズに形成されている。
挾持体４ｂの起立片に挾持体４ｂの内角部からボルト孔７ｂと等距離で巾方向の中央部に締着用ボルト８ｂが螺入するネジ孔９ｂが設けられ、締着用ボルト８ｂの先端部が土台２４の作業領域の外側Ｂの側壁部２４ｂの外側面に圧着し締着する。
【００３１】
又、突出部２ｂの端部に杭挿通用孔１０ｂが敷板本体２の短尺方向の中央部に穿設されると共に、杭挿通用孔１０ｂより内方にアンカーボルト挿通用孔１１が杭挿通用孔１０ｂと一列に穿設されている。
この杭挿通用孔１０ｂに杭（図示せず）を、又アンカーボルト挿通用孔１１にアンカーボルト（図示せず）を地盤に打ち込むことにより、工事現場の地表が未舗装の場合に敷板本体２を地盤に安定して固定できる。
【００３２】
又、敷板本体２が土台２４下に敷設された状態で作業領域側Ａとなる突出部２ａに、敷板本体２の短尺方向に間隔をおいて一対のネジ孔５ａ、５ａが設けられている。
この作業領域側Ａのネジ孔５ａ、５ａは、Ｈ型鋼の土台２４の幅のサイズ毎に異なる幅の土台２４に対応できるように、土台２４の幅に合わせて敷板本体２の作業領域側Ａの端部に向けて数箇所（図面では５箇所）設けられている。
【００３３】
この一対のネジ孔５ａ，５ａに対応して作業領域側Ａの挾持体４ａの水平片に締結ボルト６ａが通入する一対のボルト孔７ａ、７ａが穿設され、このボルト孔７ａ、７ａをＨ型鋼の土台２４の幅に合ったネジ孔５ａ、５ａに合致させ、ボルト孔７ａから締結ボルト６ａを通入してネジ孔５ａに螺合し、挾持体４ａを敷板本体２に固定する。ボルト孔７ａ、７ａはネジ孔としても良い。
挾持体４ａの起立片は作業領域の外側Ｂの挾持片４ｂの起立片と対向して固定され、土台２４の作業領域側Ａの側壁部２４ａの外側面に当接する。挾持体４ａの起立片と水平片は同一に形成されている。
この挾持体４ａの起立片に挾持体４ａの内角部からボルト孔７ａと等距離で巾方向の中央部に締着用ボルト８ａが螺入するネジ孔９ａが設けられ、締着用ボルト８ａの先端部が土台２４の作業領域側Ａの側壁部２４ａの外側面に圧着し締着する。
これにより、土台２４は挾持体４ａ、４ｂの両側から締着用ボルト８ａ、８ｂにより締着され、両側壁部２４ａ、２４ｂは挾持される。
【００３４】
又、突出部２ａの端部に杭挿通用孔１０ａが敷板本体２の短尺方向の中央部に穿設されている。
【００３５】
又、敷板本体２は両側の突出部２ａ、２ｂの周縁部がアール１２ａ、１２ｂに形成され、自動車の車輪が突出部２ａ、２ｂに乗り上げても、タイヤが損傷しないようになっている。
【００３６】
次に、図４に示すものは、請求項６に記載の発明であって、挾持体の他の形態を示すもので、図１乃至図３と相当する箇所にそれと同一符号を付してある。
この挾持体は、挾持体４ａの起立片と水平片が同一サイズに形成され、起立片と水平片の両片に挾持体４ａの内角部から等距離で巾方向の中央部に締着用ボルト８ａが螺入するネジ孔９ａを設け、その両側に締結ボルト６ａが通入する一対のボルト孔７ａ、７ａが穿設されている。これにより挾持体４ａの起立片と水平片を逆にしての使用が可能となる。  尚、図面では挾持体の一方のみを表したが、挾持体４ａと対向する挾持体４ｂも同様の構成となる。
【００３７】
以上、本考案を実施形態に基づき具体的に説明したが、本考案は上記実施形態に何ら限定されるものではなく、本考案の趣旨を逸脱しない範囲内で種々の改良変形が可能である。
【図面の簡単な説明】
【００３８】
【図１】本考案Ｈ型鋼土台仮設フェンスの転倒防止敷板の一実施の形態を示す分解斜視図である。
【図２】本考案Ｈ型鋼土台仮設フェンスの転倒防止敷板の使用状態を示す断面図である。
【図３】本考案Ｈ型鋼土台仮設フェンスの転倒防止敷板の使用状態を示す一部省略した斜視図である。
【図４】挾持体の他の実施の形態を示す正面図である。
【図５】仮設フェンスの断面図である。
【図６】仮設フェンスの一部省略した平面図である。
【符号の説明】
【００３９】
１  転倒防止敷板
２  敷板本体
２ａ、２ｂ  突出部
４ａ、４ｂ  挾持体
５ａ、５ｂ、９ａ、９ｂ  ネジ孔
６ａ、６ｂ  締結ボルト
７ａ、７ｂ  ボルト孔
８ａ、８ｂ  締着用ボルト
１０ａ、１０ｂ  杭挿通用孔
１１  アンカーボルト挿通用孔
１２ａ、１２ｂ  アール
２０  仮設フェンス
２１  フェンス支柱
２４  土台
２４ａ、２４ｂ  土台の側壁部
２５、３５  クランプ
３３  控支柱
Ａ  作業領域側
Ｂ  作業領域の外側
【図１】
0003107929.tif 000003
【図２】
0003107929.tif 000004
【図３】
0003107929.tif 000005
【図４】
0003107929.tif 000006
【図５】
0003107929.tif 000007
【図６】
0003107929.tif 000008